(57)【要約】【課題】タッチパネル入力ユニットを有する内視鏡プロセッサの起動後から内視鏡による被写体観察が可能となるときまでの時間を短縮する。【解決手段】内視鏡プロセッサ１０は第１、第２のＣＰＵ２２ａ、２２ｂ、メカスイッチユニット２４、およびタッチパネルユニット２５を有する。メカスイッチユニット２４はランプスイッチ２４Ｌ、ポンプスイッチ２４Ｐ、およびホワイトバランススイッチ２４Ｗを有する。第２のＣＰＵ２２ｂはタッチパネルユニット２５を駆動する。タッチパネルユニットへの操作入力に応じたコマンド入力信号を第２のＣＰＵ２２ｂは第１のＣＰＵ２２ａに送る。第１のＣＰＵ２２ａはメカスイッチユニット２４への操作入力に応じたコマンド入力信号または第２のＣＰＵ２２ｂから送られるコマンド入力信号に基づいて内視鏡システム１０の所定の機能を実行する。【選択図】図２
2008099879.tif 000002
【特許請求の範囲】
【請求項１】
被写体を観察するための電子内視鏡とともに、内視鏡システムを形成する内視鏡プロセッサであって、
タッチパネルモニタに表示されるメニュー画像上への操作入力を行なうタッチパネル入力ユニットと、
前記被写体に照射するための照明光の点灯と消灯とを切替える光源スイッチング機能、被写体付近に流体を送るポンプの始動と停止とを切替えるポンプスイッチング機能、および前記電子内視鏡のホワイトバランス調整を開始させるホワイトバランス始動スイッチング機能の少なくとも一つの機能を実行する操作入力を行なうメカスイッチ入力ユニットと、
前記タッチパネル入力ユニットおよび前記メカスイッチ入力ユニットへの操作入力に基づいて、前記操作入力に応じた機能を実行させるコントローラとを備える
ことを特徴とする内視鏡プロセッサ。
【請求項２】
前記コントローラは第１、第２のコントロールブロックを有し、前記メカスイッチ入力ユニットへの操作入力に応じた機能は前記第１のコントロールブロックにより実行され、前記タッチパネル入力ユニットへの操作入力に応じた機能は前記第２のコントロールブロックにより実行されることを特徴とする請求項１に記載の内視鏡プロセッサ。
【請求項３】
前記コントローラは第１、第２のコントロールブロックを有し、
前記メカスイッチ入力ユニットへの操作入力に応じた機能は前記第１のコントロールブロックにより実行され、
前記タッチパネル入力ユニットは前記第２のコントロールブロックにより駆動され、
前記タッチパネル入力ユニットへの操作入力が前記第２のコントロールブロックを介して前記第１のコントロールブロックに伝達されることにより前記タッチパネル入力ユニットへの操作入力に応じた機能が前記第１のコントロールブロックにより実行される
ことを特徴とする請求項１に記載の内視鏡プロセッサ。
【請求項４】
前記光源スイッチング機能、前記ポンプスイッチング機能、および前記ホワイトバランス始動スイッチング機能の少なくとも一つの機能は、前記タッチパネル入力ユニットへの操作入力によっても実行されることを特徴とする請求項１〜請求項３のいずれか１項に記載の内視鏡プロセッサ。
【発明の詳細な説明】
【技術分野】
【０００１】
本発明は、内視鏡システムの所定の機能を実行させるための入力ユニットとしてタッチパネルへ入力ユニットを有する内視鏡プロセッサに関する。
【背景技術】
【０００２】
近年の電子内視鏡システムには様々な機能が設けられている。これらの機能を実行するための操作ボタンを設ける場合は、多くの操作ボタンが必要となった。そこで、電子内視鏡システムの機能を実行するための入力ユニットとしてタッチパネル入力ユニットを用いることが提案されている（特許文献１参照）。
【０００３】
内視鏡プロセッサにタッチパネル入力ユニットを用いる場合には、タッチパネルモニタの駆動を、タッチパネルモニタの制御プログラムを読込ませたＣＰＵにより実行させることが適当である。
【０００４】
しかし、ＣＰＵによりタッチパネルモニタを駆動させる場合には、起動に時間がかかるため、内視鏡システムの電源をＯＮにしてから内視鏡システムが使用可能になるまで時間がかかることが問題であった。
【特許文献１】特開２００５−３２９１３０号公報
【発明の開示】
【発明が解決しようとする課題】
【０００５】
したがって、本発明ではタッチパネル入力ユニットを有する内視鏡プロセッサにおいて、内視鏡システムの起動後早急に内視鏡システムによる被写体の観察を可能にする内視鏡プロセッサの提供を目的とする。
【課題を解決するための手段】
【０００６】
本発明の内視鏡プロセッサは、被写体を観察するための電子内視鏡とともに内視鏡システムを形成する内視鏡プロセッサであって、タッチパネルモニタに表示されるメニュー画像上への操作入力を行なうタッチパネル入力ユニットと、被写体に照射するための照明光の点灯と消灯とを切替える光源スイッチング機能、被写体付近に流体を送るポンプの始動と停止とを切替えるポンプスイッチング機能、および電子内視鏡のホワイトバランス調整を開始させるホワイトバランス始動スイッチング機能の少なくとも一つの機能を実行する操作入力を行なうメカスイッチ入力ユニットと、タッチパネル入力ユニットおよびメカスイッチ入力ユニットへの操作入力に基づいて操作入力に応じた機能を実行させるコントローラとを備えることを特徴としている。
【０００７】
なお、コントローラは第１、第２のコントロールブロックを有し、メカスイッチ入力ユニットへの操作入力に応じた機能は第１のコントロールブロックにより実行され、タッチパネル入力ユニットへの操作入力に応じた機能は第２のコントロールブロックにより実行されることが好ましい。
【０００８】
または、コントローラは第１、第２のコントロールブロックを有し、メカスイッチ入力ユニットへの操作入力に応じた機能は第１のコントロールブロックにより実行され、タッチパネル入力ユニットは第２のコントロールブロックにより駆動され、タッチパネル入力ユニットへの操作入力が第２のコントロールブロックを介して第１のコントロールブロックに伝達されることによりタッチパネル入力ユニットへの操作入力に応じた機能が第１のコントロールブロックにより実行されることが好ましい。
【０００９】
また、光源スイッチング機能、ポンプスイッチング機能、およびホワイトバランス始動スイッチング機能の少なくとも一つの機能はタッチパネル入力ユニットへの操作入力によっても実行されることが好ましい。
【発明の効果】
【００１０】
本発明によれば、内視鏡による被写体の観察に必要な機能がメカスイッチ入力ユニットへの操作入力により実行可能になる。したがって、タッチパネル入力ユニットの起動中から被写体の観察は開始可能となる。
【発明を実施するための最良の形態】
【００１１】
以下、本発明の実施形態について図面を参照して説明する。
図１は、本発明の第１の実施形態を適用した内視鏡プロセッサを有する内視鏡システムの外観図である。
【００１２】
内視鏡システム１０は、電子内視鏡３０、内視鏡プロセッサ２０、およびモニタ１１によって構成される。電子内視鏡３０は、コネクタ３１を介して内視鏡プロセッサ２０に接続される。モニタ１１もコネクタ（図示せず）を介して内視鏡プロセッサ２０に接続される。
【００１３】
電子内視鏡３０の挿入管３２の先端近辺の被写体（図示せず）には、挿入管３２の先端に設けられる光源ユニット（図１において図示せず）から照明光が照射される。照明光が照射された被写体は、挿入管３２の先端に設けられるＣＣＤ等の撮像素子（図１において図示せず）により撮像される。
【００１４】
撮像された画像は画像信号として内視鏡プロセッサ２０に送信される。内視鏡プロセッサ２０に送信された画像信号は所定の処理が行われた後、モニタ１１に出力され、そこで被写体像が表示される。
【００１５】
次に、電子内視鏡３０および内視鏡プロセッサ２０の内部構成について図２を用いて説明する。図２は、電子内視鏡３０および内視鏡プロセッサ２０の内部構成を概略的に示すブロック図である。
【００１６】
電子内視鏡３０には、ライトガイド３３、撮像素子３４、マイコン３５、ＥＥＰＲＯＭ（ＥＬＥＣＴＲＩＣＡＬＬＹ  ＥＲＡＳＡＢＬＥ  ＰＲＯＧＲＡＭＭＡＢＬＥ  ＲＯＭ）３６、第１の信号処理回路３７などが設けられる。
【００１７】
ライトガイド３３は、コネクタ３１から挿入管３２の先端まで延ばされる。ライトガイド３３のコネクタ３１側の入射端に入射する照明光がライトガイト３３の出射端まで伝達される。ライトガイド３３の出射端から出射する光が、配光レンズ３８を介して挿入管３２先端付近に照射される。
【００１８】
照明光が照射された被写体の反射光が、対物レンズ３９により撮像素子３４の受光面に結像する。受光面に結像した光学像に応じた画像信号が撮像素子３４により生成される。画像信号は、コネクタ３１に設けられる第１の信号処理回路３７に送られる。
【００１９】
第１の信号処理回路３７において、画像信号に、ホワイトバランス処理やブラックバランス処理などの所定の信号処理が施される。信号処理の施された画像信号は、内視鏡プロセッサ２０に送られる。なお、第１の信号処理回路３７における所定の信号処理や、撮像素子３４の駆動を含む電子内視鏡３０において実行される動作および処理は、マイコン３５によって制御される。これらの動作などの制御のために必要なデータは、ＥＥＰＲＯＭ３６に記憶される。
【００２０】
内視鏡プロセッサ２０には、光源ユニット２１、第１、第２のＣＰＵ２２ａ、２２ｂ、第２の信号処理回路２３、メカスイッチユニット（メカスイッチ入力ユニット）２４、およびタッチパネルユニット（タッチパネル入力ユニット）２５などが設けられる。
【００２１】
電子内視鏡３０と内視鏡プロセッサ２０とを接続すると、ライトガイド３３と光源ユニット２１とが光学的に接続される。電子内視鏡３０による被写体の撮影時には、光源ユニット２１から出射する光が照明光としてライトガイド３３の入射端に入射される。
【００２２】
また、電子内視鏡３０と内視鏡プロセッサ２０とを接続すると、第１の信号処理回路３７と第２の信号処理回路２３とが電気的に接続される。第１の信号処理回路３７から送られる画像信号は第２の信号処理回路２３に入力される。入力された画像信号に対して、第２の信号処理回路２３においてさらに所定の信号処理が施される。所定の信号処理の施された画像信号が、前述のようにモニタ１１に送られる。
【００２３】
光源ユニット２１の駆動、第２の信号処理回路２３における信号処理、および内視鏡システム１０の各部位の駆動は第１のＣＰＵ２２ａにより制御される。第１のＣＰＵ２２ａは、キーボード１２、メカスイッチユニット２４、およびタッチパネルユニット２５へのコマンド入力に応じて、各部位の制御を行なう。
【００２４】
メカスイッチユニット２４は、内視鏡プロセッサ２０の前面に設けられる（図１参照）。メカスイッチユニット２４には、ランプスイッチ２４Ｌ、ポンプスイッチ２４Ｐ、およびホワイトバランススイッチ２４Ｗが設けられる。
【００２５】
ランプスイッチ２４Ｌへの操作入力により、光源ユニット２１からライトガイド３３に供給する照明光の点灯と消灯とが切替えられる。ポンプスイッチ２４Ｐへの操作入力により、電子内視鏡３０の送気チャンネル（図示せず）を介して挿入管３２の先端部に送風／送水を行うポンプ（図示せず）の起動と停止とが切替えられる。ホワイトバランススイッチ２４Ｗへの操作入力により、ホワイトバランス処理を行うための係数の算出などが行なわれる。
【００２６】
タッチパネルユニット２５は、内視鏡プロセッサ２０の前面に設けられる（図１参照）。タッチパネルユニット２５は、画面上において触れられた位置を検出可能な液晶モニタを有する。液晶モニタには、様々なコマンド入力画面を表示可能である。
【００２７】
それぞれのコマンド入力画面には、機能ボタンが表示される。使用者が機能ボタンに触れると、機能ボタンに応じた内視鏡システム１０の機能が実行される。例えば、被写体観察時に表示される基本コマンド入力画像には、輝度の調整を行うための輝度ボタン、カラーバランスを調整するためのカラーバランスボタン、他のコマンド入力画面に切替えるためのメニューボタンなどが表示される。
【００２８】
また、基本コマンド入力画像には、メカスイッチユニット２４に設けられるランプスイッチ２４Ｌ、ポンプスイッチ２４Ｐ、およびホワイトバランススイッチ２４Ｗに相当するランプボタン、ポンプボタン、およびホワイトバランスボタンが表示される。
【００２９】
これらの機能ボタンに対して使用者による操作入力、例えば機能ボタンへの押下がタッチパネルユニット２５によって検出される。なお、タッチパネルユニット２５は、第２のＣＰＵ２２ｂによって駆動される。コマンド入力画面の切替、触れられた位置と表示しているコマンド入力画像とに基づく押下された機能ボタンの判別、および操作入力された機能ボタンに対応するコマンド入力信号の作成、および第１のＣＰＵ２２ａへのコマンド入力信号の送信などが第２のＣＰＵ２２ｂにより、実行される。
【００３０】
次に、第２、第１のＣＰＵ２２ａ、２２ｂにより行なわれる処理について図３、図４のフローチャートを用いて説明する。図３は、第２のＣＰＵ２２ｂにより行なわれるタッチパネルユニットの駆動のための処理を説明するためのフローチャートである。図４は、第１のＣＰＵ２２ａにより行なわれる内視鏡システム１０の各部位の制御のための処理を説明するためのフローチャートである。
【００３１】
第１、第２のＣＰＵ２２ａ、２２ｂにより行なわれる処理は、内視鏡プロセッサ２０の電源をＯＮにすることにより開始する。また、第１、第２のＣＰＵ２２ａ、２２ｂにより行なわれる処理は、内視鏡プロセッサ２０の電源をＯＦＦにすることにより終了する。
【００３２】
ステップＳ１００において、タッチパネルユニット２５の液晶モニタに基本コマンド入力画像が表示される。ステップＳ１０１において押下位置の検出が行なわれているか否かが判別される。押下位置の検出が行なわれない、すなわち、液晶モニタ上を使用者が触れていない場合にはステップＳ１０１が繰返される。押下位置の検出が行われるときには、ステップＳ１０２に進む。
【００３３】
ステップＳ１０２では、押下位置がメニューボタンのように他のコマンド入力画像に切替えるための画面切替ボタンと重なるか否かが判別される。画面切替ボタンと重なる場合には、ステップＳ１０３に進む。ステップＳ１０３において、押下された画面切替ボタンに応じたコマンド入力画像が液晶モニタ  に表示され、ステップＳ１０１に戻る。
【００３４】
ステップＳ１０２において押下位置が画面切替ボタンと重ならない場合は、ステップＳ１０４に進み、押下位置が機能ボタンと重なるか否かが判別される。機能ボタンと重なる場合には、ステップＳ１０５に進む。ステップＳ１０５では、押下された機能ボタンに応じたコマンド入力信号が生成され、第１のＣＰＵ２２ａに送信される。
【００３５】
コマンド入力信号の送信後、ステップＳ１０１に戻る。また、ステップＳ１０４において、押下位置が機能ボタンと重ならない場合もステップＳ１０１に戻る。
【００３６】
第１のＣＰＵ２２ａでは、ステップＳ２００において第２のＣＰＵ２２ｂからコマンド入力信号が送られるか否か判別される。コマンド入力信号が送られているときには、ステップＳ２０１をスキップして、ステップＳ２０２に進む。コマンド入力信号が送られないときには、ステップＳ２０１に進む。
【００３７】
ステップＳ２０１では、メカスイッチユニット２４からコマンド入力信号が送られるか否かが判別される。コマンド入力信号が送られていないときには、ステップＳ２００に戻る。コマンド入力信号が送られているときには、ステップＳ２０２に進む。
【００３８】
ステップＳ２０２では、ステップＳ２００またはステップＳ２０１において第１のＣＰＵ２２ａが受信したコマンド入力信号に応じた内視鏡システム１０の所定の機能を実行される。
【００３９】
以上のような第１の実施形態の内視鏡プロセッサ２０によれば、内視鏡による被写体の観察を行なうのに最低限必要な機能は、メカスイッチへの操作入力により実行可能である。したがって、これらの機能はタッチパネルユニット２５の起動を待たずに実行することが出来るため、内視鏡プロセッサ２０の起動後の内視鏡による被写体の観察が可能になるまでにかかる時間を短縮化することが可能である。
【００４０】
また、内視鏡システム１０においてタッチパネルユニット２５のみが故障した場合でも、被写体の観察だけは続行可能となる。
【００４１】
次に第２の実施形態を適用した内視鏡プロセッサについて図５を用いて説明する。第２の実施形態では、第２のＣＰＵにより直接、内視鏡システムの所定の機能を実行可能である構成が第１の実施形態と異なる。以下、第１の実施形態と異なる点を中心に第２の実施形態を説明する。第１の実施形態と同じ機能を有する部位は同じ符号をつけている。
【００４２】
第１の実施形態と同様に、内視鏡プロセッサ２００には、第１、第２のＣＰＵ２２０ａ、２２０ｂ、第２の信号処理回路２３、メカスイッチユニット２４、およびタッチパネルユニット２５などが設けられる。
【００４３】
第１の実施形態と同様に、電子内視鏡１０と内視鏡プロセッサ２００とを接続すると、ライトガイド３３と光源ユニット２１とが光学的に、第１の信号処理回路３７と第２の信号処理回路２３とが電気的に接続される。また、第１の実施形態と同様に、光源ユニット２１により被写体を照明するための照明光が発光し、第２の信号処理回路２３に入力された画像信号に対して所定の信号処理が施される。所定の信号処理が施された画像信号がモニタ１１に送られることも、第１の実施形態と同様である。
【００４４】
光源ユニット２１の駆動、第２の信号処理回路２３における信号処理、および内視鏡システム１００の各部位の駆動は第１のＣＰＵ２２０ａにより制御されることも、第１の実施形態と同じである。
【００４５】
第１の実施形態と異なり、内視鏡システム１００の所定の機能は、タッチパネルユニット２５への操作入力に応じて第２のＣＰＵ２２０ｂによって実行される。ただし、内視鏡システム１００全体の制御は第１のＣＰＵ２２０ａによって行なわれるため、第２のＣＰＵ２２０ｂにより実行された所定の機能の実行内容は、全体の制御のために第１のＣＰＵ２２０ａに通知される。
【００４６】
なお、キーボード１２、メカスイッチユニット２４、およびタッチパネルユニット２５の構成は、第１の実施形態と同様である。
【００４７】
タッチパネルユニット２４が第２のＣＰＵ２２０ｂによって駆動されることは、第１の実施形態と同様であり、コマンド入力画面の切替および液晶モニタ上の触れられた位置と表示しているコマンド入力画像とに基づく押下された機能ボタンの判別は第２のＣＰＵ２２０ｂによって実行される。
【００４８】
しかし、第２の実施形態では第１の実施形態と異なり、操作入力された機能ボタンに応じた機能の実行、および実行した機能の実行内容についての第１のＣＰＵ２２０ａへの通知が第２のＣＰＵ２２０ｂにより実行される。
【００４９】
次に、第２、第１のＣＰＵ２２０ａ、２２０ｂにより行なわれる処理について図６、図７のフローチャートを用いて説明する。図６は、第２のＣＰＵ２２０ｂにより行なわれる内視鏡システム１００の所定の機能の実行のための処理を説明するためのフローチャートである。図７は、第１のＣＰＵ２２０ａにより行なわれる内視鏡システム１００の所定の機能の実行のための処理を説明するためのフローチャートである。
【００５０】
第１の実施形態と同様に、第１、第２のＣＰＵ２２０ａ、２２０ｂにより行われる処理は、内視鏡プロセッサ２００の電源をＯＮにすることにより開始する。また、第１、第２のＣＰＵ２２０ａ、２２０ｂにより行われる処理は、内視鏡プロセッサ２００の電源をＯＦＦにすることにより終了する。
【００５１】
ステップＳ３００において、タッチパネルユニット２５の液晶モニタに基本コマンド入力画像が表示される。ステップＳ３０１において押下位置の検出が行なわれているか否かが判別される。押下位置の検出が行なわれない、すなわち、液晶モニタ上を使用者が触れていない場合にはステップＳ３０１が繰返される。押下位置の検出が行われるときには、ステップＳ３０２に進む。
【００５２】
ステップＳ３０２では、押下位置がメニューボタンのように他のコマンド入力画像に切替えるための画面切替ボタンと重なるか否かが判別される。画面切替ボタンと重なる場合には、ステップＳ３０３に進む。ステップＳ３０３において、押下された画面切替ボタンに応じたコマンド入力画像が液晶モニタに表示され、ステップＳ３０１に戻る。
【００５３】
ステップＳ３０２において押下位置が画面切替ボタンと重ならない場合は、ステップＳ３０４に進み、押下位置が機能ボタンと重なるか否かが判別される。機能ボタンと重なる場合には、ステップＳ３０５に進む。ステップＳ３０５では、押下された機能ボタンに応じた機能が実行される。
【００５４】
所定の機能実行後ステップＳ３０６に進み、実行した機能の実行内容が第１のＣＰＵ２２０ａに通知される。実行内容の通知後、ステップＳ３０１に戻る。また、ステップＳ３０４に置いて、押下位置が機能ボタンと重ならない場合もステップＳ３０１に戻る。
【００５５】
第１のＣＰＵ２２０ａでは、ステップＳ４００において第２のＣＰＵ２２０ｂによって実行された機能の実行内容が第１のＣＰＵ２２０ａに通知されているか否かが判別される。実行内容が第１のＣＰＵ２２０ａに通知されていないときには、ステップＳ４０１をスキップして、ステップＳ４０２に進む。実行内容が第１のＣＰＵ２２０ａに通知されているときには、ステップＳ４０１に進む。
【００５６】
ステップＳ４０１では、通知された実行内容が第１のＣＰＵ２２０ａに接続されるＲＡＭ（図示せず）に記録される。記録された実行内容が、以後の第１のＣＰＵ２２０ａによる内視鏡システム１００の制御に用いられる。ＲＡＭへの記録後にステップＳ４０２に進む。
【００５７】
ステップＳ４０２では、メカスイッチユニット２４からコマンド入力信号が送られるか否かが判別される。コマンド入力信号が送られていないときには、ステップＳ４００に戻る。コマンド入力信号が送られているときには、ステップＳ４０３に進む。
【００５８】
ステップＳ４０３では、ステップＳ４０２において第１のＣＰＵ２２０ａが受信したコマンド入力信号に応じた内視鏡システム１００の所定の機能が実行される。所定の機能実行後ステップＳ４０４に進み、実行した機能の実行内容が第２のＣＰＵ２２０ｂに通知される。実行内容の通知後、ステップＳ４００に戻る。
【００５９】
以上のような第２の実施形態の内視鏡プロセッサ２００によっても、内視鏡による被写体の観察を行なうのに最低限必要な機能は、メカスイッチユニット２４への操作入力により実行可能である。したがって、第１の実施形態と同様に、内視鏡プロセッサ２００の起動後の内視鏡による被写体の観察が可能になるまでにかかる時間を低減化することが可能である。
【００６０】
また、本実施形態の内視鏡プロセッサ２００によれば、第１のＣＰＵ２２０ａと独立して、タッチパネルユニット２５への操作入力に応じた機能を第２のＣＰＵ２２０ｂに実行させることが可能である。したがって、第１のＣＰＵ２２０ａに動作不良が生じた場合でも、内視鏡による被写体の観察を続けることが可能である。
【００６１】
なお、本実施形態において、タッチパネルユニット２４に表示されるコマンド入力画像にランプボタン、ポンプボタン、およびホワイトバランスボタンが表示される構成であるが、表示されなくてもよい。光源ユニット２１のＯＮ／ＯＦＦ、ポンプのＯＮ／ＯＦＦ、ホワイトバランスの係数算出は、少なくともメカスイッチユニット２４への操作入力により起動されれば、本実施形態と同様の効果を得ることが可能である。
【００６２】
また、本実施形態において、メカスイッチユニット２４への操作入力により光源ユニット２１のＯＮ／ＯＦＦの切替、ポンプのＯＮ／ＯＦＦの切替、およびホワイトバランスの係数算出が起動される構成であるが、少なくともこれらの内の一つの機能がメカスイッチユニット２４への操作入力により起動されればよい。
【００６３】
また、本実施形態において、タッチパネルユニットへの入力操作は液晶モニタの押下であるが、液晶モニタへの接触や指示などの操作入力行為であってもよい。タッチパネルには静電容量方式、光学方式、超音波方式、抵抗膜方式などの多様な方式があるが、それぞれの方式に応じた操作入力行為が行われればよい。
【図面の簡単な説明】
【００６４】
【図１】本発明の第１の実施形態を適用した内視鏡プロセッサを有する内視鏡システムの外観図である。
【図２】第１の実施形態の電子内視鏡および内視鏡プロセッサの内部構成を概略的に示すブロック図である。
【図３】第１の実施形態において第２のＣＰＵにより行なわれるタッチパネルユニットの駆動のための処理を示すフローチャートである。
【図４】第１の実施形態において第１のＣＰＵにより行われる内視鏡システムの各部位の制御のための処理を示すフローチャートである。
【図５】第２の実施形態の電子内視鏡および内視鏡プロセッサの内部構成を概略的に示すブロック図である。
【図６】第２の実施形態において第２のＣＰＵにより行なわれる内視鏡システムの各部位の制御のための処理を示すフローチャートである。
【図７】第２の実施形態において第１のＣＰＵにより行なわれる内視鏡システムの各部位の制御のための処理を示すフローチャートである。
【符号の説明】
【００６５】
１０、１００  内視鏡システム
２０、２００  内視鏡プロセッサ
２２ａ、２２０ａ  第１のＣＰＵ
２２ｂ、２２０ｂ  第２のＣＰＵ
２４  メカスイッチユニット
２４Ｌ、２４Ｐ、２４Ｗ  ランプスイッチ、ポンプスイッチ、ホワイトバランススイッチ
２５  タッチパネルユニット
３０  電子内視鏡
【図１】
2008099879.tif 000003
【図２】
2008099879.tif 000004
【図３】
2008099879.tif 000005
【図４】
2008099879.tif 000006
【図５】
2008099879.tif 000007
【図６】
2008099879.tif 000008
【図７】
2008099879.tif 000009